(57)【要約】【課題】送風機による効率的な送風を実現することにある。【解決手段】記録媒体を搬送するための搬送経路と、前記搬送経路上の前記記録媒体に送風可能な複数の送風機と、前記複数の送風機のうちのＭ個の送風機に前記記録媒体への送風を行なわせる第一送風モードと、前記複数の送風機のうちのＭ個よりも多いＮ個の送風機に前記記録媒体への送風を行なわせる第二送風モードと、を選択的に実行するコントローラーと、を有することを特徴とする。【選択図】図７
2012061782.tif 000002
【特許請求の範囲】
【請求項１】
記録媒体を搬送するための搬送経路と、
前記搬送経路上の前記記録媒体に送風可能な複数の送風機と、
前記複数の送風機のうちのＭ個の送風機に前記記録媒体への送風を行なわせる第一送風
モードと、前記複数の送風機のうちのＭ個よりも多いＮ個の送風機に前記記録媒体への送
風を行なわせる第二送風モードと、を選択的に実行するコントローラーと、
を有することを特徴とする記録装置。
【請求項２】
請求項１に記載の記録装置において、
前記コントローラーは、
前記搬送経路上の前記記録媒体の媒体幅に基づいて、前記第一送風モード及び前記第二
送風モードのいずれかを選択することを特徴とする記録装置。
【請求項３】
請求項１に記載の記録装置において、
前記記録媒体に液体を吐出して印刷画像を記録するヘッドユニットを有し、
前記コントローラーは、前記印刷画像の情報を有する印刷データに基づいて、前記ヘッ
ドユニットに前記印刷画像を記録させ、
前記送風機は、前記印刷画像が記録された前記記録媒体に送風し、
前記コントローラーは、前記印刷データに基づいて、前記第一送風モード及び前記第二
送風モードのいずれかを選択することを特徴とする記録装置。
【請求項４】
請求項３に記載の記録装置において、
前記印刷画像の液体量情報に基づいて、前記第一送風モード及び前記第二送風モードの
いずれかを選択することを特徴とする記録装置。
【請求項５】
請求項３に記載の記録装置において、
前記印刷画像の前記記録媒体における位置情報に基づいて、前記第一送風モード及び前
記第二送風モードのいずれかを選択することを特徴とする記録装置。
【請求項６】
記録媒体を搬送するための搬送経路と、前記搬送経路上の前記記録媒体に送風可能な複
数の送風機と、を有する記録装置を準備することと、
前記複数の送風機のうちのＭ個の送風機に前記記録媒体への送風を行なわせる第一送風
モードと、前記複数の送風機のうちのＭ個よりも多いＮ個の送風機に前記記録媒体への送
風を行なわせる第二送風モードと、を選択的に実行することと、
を有することを特徴とする送風方法。
【発明の詳細な説明】
【技術分野】
【０００１】
本発明は、記録装置、及び、送風方法に関する。
【背景技術】
【０００２】
インクジェット式プリンター等の記録装置は既によく知られている。
【０００３】
かかる記録装置の中には、記録媒体を搬送するための搬送経路と、前記搬送経路上の前
記記録媒体に送風可能な複数の送風機と、を有するものがある。
【先行技術文献】
【特許文献】
【０００４】
【特許文献１】特開２００９−３４９３１号公報
【発明の概要】
【発明が解決しようとする課題】
【０００５】
ところで、上記記録装置において、常時、前記複数の送風機の全てにより記録媒体に風
を送ることとすれば、十分な風を前記記録媒体に送ることができる。しかしながら、この
ようにすると、非効率的な送風となる場合があり得る。  
本発明は、かかる課題に鑑みてなされたものであり、その目的とするところは、送風機
による効率的な送風を実現することにある。
【課題を解決するための手段】
【０００６】
主たる本発明は、記録媒体を搬送するための搬送経路と、前記搬送経路上の前記記録媒
体に送風可能な複数の送風機と、前記複数の送風機のうちのＭ個の送風機に前記記録媒体
への送風を行なわせる第一送風モードと、前記複数の送風機のうちのＭ個よりも多いＮ個
の送風機に前記記録媒体への送風を行なわせる第二送風モードと、を選択的に実行するコ
ントローラーと、を有することを特徴とする記録装置である。  
本発明の他の特徴については、本明細書及び添付図面の記載により明らかにする。
【図面の簡単な説明】
【０００７】
【図１】プリンター１１の正面模式図である。
【図２】カバー３３が閉じた状態のプリンター１１の外観を示す斜視図である。
【図３】カバー３３が開いた状態のプリンター１１の外観を示す斜視図である。
【図４】プリンター１１の全体構成ブロック図である。
【図５】プラテン１７、連続紙Ｓ、軸流ファン３００、吸気口３１０（フィルター３２０）の、プリンター１１を真横から見たときの位置関係を示す模式図である。
【図６】プラテン１７、連続紙Ｓ、軸流ファン３００、吸気口３１０（フィルター３２０）の、プリンター１１を真上から見たときの位置関係を示す模式図である。
【図７】紙幅Ｌ１が閾値Ｌｔｈより大きいと判定され、全送風モードが実行されている様子と、紙幅Ｌ２が閾値Ｌｔｈ以下と判定され、一部送風モードが実行されている様子と、を示した説明図である。
【図８】端部に印刷画像が位置すると判定され、全送風モードが実行されている様子と、端部に印刷画像が位置しないと判定され、一部送風モードが実行されている様子と、を示した説明図である。
【図９】インク量Ｑ１が閾値Ｑｔｈより大きいと判定され、全送風モードが実行されている様子と、インク量Ｑ２が閾値Ｑｔｈ以下と判定され、一部送風モードが実行されている様子と、を示した説明図である。
【発明を実施するための形態】
【０００８】
本明細書及び添付図面の記載により、少なくとも次のことが明らかにされる。
【０００９】
記録媒体を搬送するための搬送経路と、
前記搬送経路上の前記記録媒体に送風可能な複数の送風機と、
前記複数の送風機のうちのＭ個の送風機に前記記録媒体への送風を行なわせる第一送風
モードと、前記複数の送風機のうちのＭ個よりも多いＮ個の送風機に前記記録媒体への送
風を行なわせる第二送風モードと、を選択的に実行するコントローラーと、
を有することを特徴とする記録装置。  
かかる記録装置によれば、送風機による効率的な送風を実現することが可能となる。
【００１０】
また、前記コントローラーは、
前記搬送経路上の前記記録媒体の媒体幅に基づいて、前記第一送風モード及び前記第二
送風モードのいずれかを選択することとしてもよい。  
かかる場合には、媒体幅が小さいときには作動させる送風機の数を減らすことが可能と
なり、効率的な送風を実現できる。
【００１１】
また、前記記録媒体に液体を吐出して印刷画像を記録するヘッドユニットを有し、
前記コントローラーは、前記印刷画像の情報を有する印刷データに基づいて、前記ヘッ
ドユニットに前記印刷画像を記録させ、
前記送風機は、前記印刷画像が記録された前記記録媒体に送風し、
前記コントローラーは、前記印刷データに基づいて、前記第一送風モード及び前記第二
送風モードのいずれかを選択することとしてもよい。  
かかる場合には、印刷画像に応じた送風が可能となり、効率的な送風を実現できる。
【００１２】
また、前記印刷画像の液体量情報に基づいて、前記第一送風モード及び前記第二送風モ
ードのいずれかを選択することとしてもよい。  
かかる場合には、液体量が少ないときには作動させる送風機の数を減らすことが可能と
なり、効率的な送風を実現できる。
【００１３】
また、前記印刷画像の前記記録媒体における位置情報に基づいて、前記第一送風モード
及び前記第二送風モードのいずれかを選択することとしてもよい。  
かかる場合には、印刷画像が存在する位置によっては作動させる送風機の数を減らすこ
とが可能となり、効率的な送風を実現できる。
【００１４】
次に、記録媒体を搬送するための搬送経路と、前記搬送経路上の前記記録媒体に送風可
能な複数の送風機と、を有する記録装置を準備することと、
前記複数の送風機のうちのＭ個の送風機に前記記録媒体への送風を行なわせる第一送風
モードと、前記複数の送風機のうちのＭ個よりも多いＮ個の送風機に前記記録媒体への送
風を行なわせる第二送風モードと、を選択的に実行することと、
を有することを特徴とする送風方法。  
かかる送風方法によれば、送風機による効率的な送風を実現することが可能となる。
【００１５】
＝＝＝プリンター１１の構成例について＝＝＝
以下、本発明の記録装置をラテラル方式のインクジェット式プリンターに具体化した実
施形態を図１乃至図４に基づいて説明する。図１は、プリンター１１の正面模式図である
。図２は、カバー３３が閉じた状態のプリンター１１の外観を示す斜視図である。図３は
、カバー３３が開いた状態のプリンター１１の外観を示す斜視図である。図４は、プリン
ター１１の全体構成ブロック図である。なお、以下の説明において、「前後方向」、「左
右方向」、「上下方向」をいう場合は、各図に矢印で示した方向を基準として示すものと
する。
【００１６】
図１に示すように、記録装置としてのプリンター１１は、直方体状の本体ケース１２を
備えている。本体ケース１２は、左右方向に沿って大きく３つに区分され、左側から右側
に向かって繰り出し部１３、印刷部１４、巻き取り部１５となっている。また、本体ケー
ス１２内における上下方向の中央部よりもやや上寄りの位置には、本体ケース１２内を上
下に区画する平板状の基台１６が設けられている。
【００１７】
基台１６上の印刷部１４と対応する位置には、矩形板状剛体の支持部であるプラテン１
７が配置されている。また、本体ケース１２内には、長尺状の記録媒体の一例としての連
続紙Ｓを搬送するための搬送ユニット１８が収容されている。
【００１８】
搬送ユニット１８は、前後方向に延びる巻き軸２０、ローラー２１〜２５及び巻き取り
軸２６と、巻き取り軸２６を回転させるための搬送モーター２７とを備えている。巻き軸
２０及びローラー２１は繰り出し部１３内に、ローラー２２〜２５及び搬送モーター２７
は印刷部１４内に、巻き取り軸２６は巻き取り部１５内に収容されている。
【００１９】
連続紙Ｓは、左端側が巻き軸２０に右端側が巻き取り軸２６にそれぞれ巻かれた状態で
、ローラー２１〜２５に巻き掛けられている。そして、搬送モーター２７の回転駆動に伴
って、連続紙Ｓを搬送するための搬送経路の一例としてのプラテン１７の上面からなる支
持面１７ａ上を摺動しつつ、繰り出し部１３側から巻き取り部１５側に向かって搬送され
るようになっている。
【００２０】
印刷部１４内において、プラテン１７の前後両側には、左右方向に延びるガイドレール
２８（図１では２点鎖線で示す）が対をなすように設けられている。ガイドレール２８の
上面はプラテン１７の上面よりも高くなっており、両ガイドレール２８の上面には、矩形
状のキャリッジユニット２９が不図示の駆動機構の駆動に基づき両ガイドレール２８に沿
って左右方向への往復移動可能な状態で支持されている。そして、このキャリッジユニッ
ト２９の下面側にはヘッドユニット３０が支持されている。
【００２１】
プラテン１７の左端から右端までの一定範囲は記録領域とされており、この記録領域単
位で連続紙Ｓは間欠的に搬送されるようになっている。そして、この記録領域単位での間
欠搬送によってプラテン１７上に停止した状態にある連続紙Ｓに対してキャリッジユニッ
ト２９の往復移動に伴いヘッドユニット３０の下面側に設けられたノズル（図示略）から
液体の一例としてのインクが噴射されることで、連続紙Ｓに対して記録処理が施されるよ
うになっている。すなわち、ヘッドユニット３０は、連続紙Ｓにインクを吐出して印刷画
像を記録する。
【００２２】
プラテン１７の支持面１７ａの下方には、支持面１７ａを加熱するためのヒーターユニ
ット３１が内蔵されている。そして、ヒーターユニット３１によって加熱された支持面１
７ａを介して連続紙Ｓに熱を伝えることにより、連続紙Ｓに付着したインクの乾燥を促進
するようになっている。また、プラテン１７及びキャリッジユニット２９の上方には、送
風ユニット３２が配置されている。
【００２３】
本体ケース１２において、印刷部１４に対応する上側部分には、開閉可能なカバー３３
が設けられており、当該カバー３３に送風ユニット３２が設けられている。カバー３３は
、閉じた状態において、連続紙Ｓを搬送するための搬送経路の一例としてのプラテン１７
を覆うようになっている。なお、送風ユニット３２については、後に詳述する。
【００２４】
図２及び図３に示すように、カバー３３は自重に抗した持ち上げ動作によって開くよう
に構成されており、閉状態において前面側となる部分に持ち手３８が取り付けられている
とともに、後端側には本体ケース１２に対してカバー３３を回動可能に連結するヒンジ部
３９が設けられている。つまり、カバー３３は、プリンター本体に回動可能に連結されて
いる。ヒンジ部３９には、カバー３３を開方向に向かって付勢することで、カバー３３の
自重を軽減して持ち上げ動作を補助する動作補助手段としてのばね（図示略）が内蔵され
ている。
【００２５】
また、本体ケース１２の閉状態にあるカバー３３の前端と当接する部分には係止部４１
（図３参照）が設けられている一方、カバー３３の前端には係止部４１に先端が入脱する
係止片（図示略）が設けられている。そして、カバー３３がばねの付勢力に抗して閉状態
とされた場合には、係止片が係止部４１に係止されることで、カバー３３が閉状態に保持
されるようになっている。
【００２６】
次に、本実施の形態に係るプリンター１１の制御構成について、図４を用いて説明する
。外部装置６０から印刷指令（印刷画像の情報を有する印刷データ）を受信したプリンタ
ー１１は、コントローラー１１０により、各ユニット（搬送ユニット１８、キャリッジユ
ニット２９、ヘッドユニット３０、ヒーターユニット３１、送風ユニット３２）を制御し
、連続紙Ｓに印刷画像を記録する。つまり、コントローラー１１０は、前記印刷データに
基づいて、ヘッドユニット３０に印刷画像を記録させる。また、プリンター１１内の状況
を検出器群１５０が監視し、その検出結果に基づいて、コントローラー１１０は各ユニッ
トを制御する。
【００２７】
コントローラー１１０は、プリンター１１の制御を行うための制御ユニットである。イ
ンターフェース部１１１は、外部装置６０とプリンター１１との間でデータの送受信を行
うためのものである。ＣＰＵ１１２は、プリンター１１全体の制御を行うための演算処理
装置である。メモリー１１３は、ＣＰＵ１１２のプログラムを格納する領域や作業領域等
を確保するためのものである。ＣＰＵ１１２は、メモリー１１３に格納されているプログ
ラムに従ったユニット制御回路１１４により各ユニットを制御する。
【００２８】
なお、前記検出器群１５０の中には、連続紙Ｓの紙幅を検出する紙幅センサー（不図示
。当該紙幅センサーの使用法について、後に説明する）がある。
【００２９】
＝＝＝送風ユニット３２について＝＝＝
＜＜＜送風ユニット３２の構成例について＞＞＞
次に、本実施の形態に係る送風ユニット３２の構成例について、図２、図３、図５、図
６を用いて説明する。図５は、プラテン１７、連続紙Ｓ、軸流ファン３００、吸気口３１
０（フィルター３２０）の、プリンター１１を真横から見たときの位置関係を示す模式図
である。図６は、プラテン１７、連続紙Ｓ、軸流ファン３００、吸気口３１０（フィルタ
ー３２０）の、プリンター１１を真上から見たときの位置関係を示す模式図である。
【００３０】
送風ユニット３２は、送風機の一例としての軸流ファン３００と、吸気口３１０と、フ
ィルター３２０とを備えている。
【００３１】
軸流ファン３００は、回転することにより、プラテン１７上の連続紙Ｓに風を送って（
送風して）、連続紙Ｓに着弾されたインクを乾燥させるためのものである。この軸流ファ
ン３００は、図３に示すように、前述したカバー３３に（より具体的には、カバー３３の
内面側に）、支持フレーム３６に支持される態様で、複数設けられている。
【００３２】
そして、この各々の軸流ファン３００は、カバー３３が閉じた際に、プラテン１７の上
方に位置して、当該プラテン１７の支持面１７ａ（換言すれば、当該プラテン１７上の連
続紙Ｓ）と対向し（図５参照）、一方で、カバー３３が開いた際に、プラテン１７の上方
から退避した位置に位置するようになっている（図３参照）。また、軸流ファン３００は
、図５に示すように、カバー３３が閉じた際に、支持面１７ａに対する送風方向が支持面
１７ａに対して垂直方向となるように軸方向が当該垂直方向に沿う状態で、カバー３３に
取り付けられている。そのため、軸流ファン３００は、カバー３３が閉じた状態において
、プラテン１７の支持面１７ａ（換言すれば、当該プラテン１７上の連続紙Ｓ）に送風可
能となっている。
【００３３】
本実施の形態においては、軸流ファン３００が１０個設けられている。そして、この１
０個のファン（第一軸流ファン３００ａ、第二軸流ファン３００ｂ、第三軸流ファン３０
０ｃ、第四軸流ファン３００ｄ、第五軸流ファン３００ｅ、第六軸流ファン３００ｆ、第
七軸流ファン３００ｇ、第八軸流ファン３００ｈ、第九軸流ファン３００ｉ、第十軸流フ
ァン３００ｊ）は、図３及び図６に示すように、５行２列に並んでいる。すなわち、本実
施の形態に係る送風ユニット３２は、図６に示すように、軸流ファン３００が連続紙Ｓの
搬送方向（すなわち、左右方向）に沿う方向に５つ並んだ第一ファン列３０２と、当該第
一ファン列３０２よりも前記搬送方向と垂直な方向（すなわち、前後方向）において手前
側に位置し、軸流ファン３００が前記搬送方向（左右方向）に沿う方向に５つ並んだ第二
ファン列３０４と、を有している。そして、第一軸流ファン３００ａ、第二軸流ファン３
００ｂ、第三軸流ファン３００ｃ、第四軸流ファン３００ｄ、第五軸流ファン３００ｅが
第一ファン列３０２に、第六軸流ファン３００ｆ、第七軸流ファン３００ｇ、第八軸流フ
ァン３００ｈ、第九軸流ファン３００ｉ、第十軸流ファン３００ｊが第二ファン列３０４
に、それぞれ属している。
【００３４】
吸気口３１０は、軸流ファン３００が連続紙Ｓに送風する際の空気をプリンター１１の
外部から取り入れるための取り入れ口である。この吸気口３１０は、図２に示すように、
前述したカバー３３に（より具体的には、カバー３３の外面側に）、複数設けられている
。
【００３５】
吸気口３１０は、軸流ファン３００に対応する位置に、換言すれば、カバー３３が閉じ
た状態において軸流ファン３００の上方位置に、設けられている。本実施の形態において
は、図６に示すように、５つの吸気口３１０が左右方向に並ぶように設けられており、第
一吸気口３１０ａが、第一軸流ファン３００ａ及び第六軸流ファン３００ｆに対応する位
置に、第二吸気口３１０ｂが、第二軸流ファン３００ｂ及び第七軸流ファン３００ｇに対
応する位置に、第三吸気口３１０ｃが、第三軸流ファン３００ｃ及び第八軸流ファン３０
０ｈに対応する位置に、第四吸気口３１０ｄが、第四軸流ファン３００ｄ及び第九軸流フ
ァン３００ｉに対応する位置に、第五吸気口３１０ｅが、第五軸流ファン３００ｅ及び第
十軸流ファン３００ｊに対応する位置に、それぞれ設けられている。
【００３６】
フィルター３２０は、吸気口３１０を通過する空気中のゴミ等を除去して、乾燥する前
のインクに当該ゴミ等が付着しないようにするためのものである。このフィルター３２０
は、カバー３３の外側に露出する態様で、吸気口３１０に（具体的には、第一吸気口３１
０ａ、第二吸気口３１０ｂ、第三吸気口３１０ｃ、第四吸気口３１０ｄ、第五吸気口３１
０ｅの各々に）着脱可能に設けられている。
【００３７】
＜＜＜送風ユニット３２の動作例について＞＞＞
次に、本実施の形態に係る送風ユニット３２の動作例について、図７を用いて説明する
。  
本実施の形態に係る送風ユニット３２（プリンター１１）は、動作モードとして、複数
の軸流ファン３００のうちのＭ個（本実施の形態においては、５個）の軸流ファン３００
に連続紙Ｓへの送風を行なわせる第一送風モードの一例としての一部送風モードと、複数
の軸流ファン３００のうちのＭ個よりも多いＮ個（本実施の形態においては、１０個）の
軸流ファン３００に連続紙Ｓへの送風を行なわせる第二送風モードの一例としての全送風
モードと、を有しており、コントローラー１１０は、当該二つのモードを選択的に実行す
るようになっている。そして、コントローラー１１０は、プラテン１７上の連続紙Ｓの紙
幅（媒体幅に相当）に基づいて、当該二つのモードのいずれかを選択する。
【００３８】
上記について、具体的に説明する。コントローラー１１０は、軸流ファン３００の回転
を開始させる前に、前述した紙幅センサーから連続紙Ｓの紙幅を取得する。なお、本実施
の形態に係るプリンター１１においては、プラテン１７の前後方向における長さよりも長
い紙幅を有する連続紙Ｓは使用できないという制限はあるものの、基本的にはどの紙幅の
連続紙Ｓでも使用可能である。そして、当該連続紙Ｓは、当該連続紙Ｓの紙幅方向の後側
の端がプラテン１７において予め定められた前後方向における基準位置（図７参照）に位
置するように、プリンター１１に設置されている。
【００３９】
コントローラー１１０は、取得された連続紙Ｓの紙幅を予め定められた閾値Ｌｔｈと比
較し、当該紙幅が閾値Ｌｔｈ以下であれば、前記一部送風モードを実行し、当該紙幅が閾
値Ｌｔｈより大きければ、前記全送風モードを実行する。
【００４０】
図７は、紙幅Ｌ１が閾値Ｌｔｈより大きいと判定され、全送風モードが実行されている
様子と、紙幅Ｌ２が閾値Ｌｔｈ以下と判定され、一部送風モードが実行されている様子と
、を示した説明図である。当該図においては、作動する（回転する）軸流ファン３００に
斜線を施し、作動しない（回転しない）軸流ファン３００には斜線を施していない（白抜
きとしている）。
【００４１】
図７の上図に示すように、コントローラー１１０は、紙幅Ｌ１が閾値Ｌｔｈより大きい
と判定すると、全送風モードを選択し、１０個全ての軸流ファン３００の回転を開始させ
る。一方、図７の下図に示すように、紙幅Ｌ２が閾値Ｌｔｈ以下と判定すると、一部送風
モードを選択し、１０個の軸流ファン３００のうちの第一ファン列３０２に属する軸流フ
ァン３００のみ（すなわち、第一軸流ファン３００ａ、第二軸流ファン３００ｂ、第三軸
流ファン３００ｃ、第四軸流ファン３００ｄ、第五軸流ファン３００ｅ）の回転を開始さ
せる。そして、これらの軸流ファン３００は、連続的に（非間欠的に）回転し、プリンタ
ー１１の外部から吸気口３１０を介して空気が取り入れられつつ（また、空気中のゴミ等
はフィルターで除去されつつ）、プラテン１７上の連続紙Ｓに風が送られる。そして、記
録処理中や記録処理後には、プラテン１７上の連続紙Ｓに送風されて、連続紙Ｓに着弾さ
れたインクが適切に乾燥することとなる。
【００４２】
上述したとおり、本実施の形態に係るプリンター１１は、連続紙Ｓを搬送するための搬
送経路の一例としてのプラテン１７と、プラテン１７上の連続紙Ｓに送風可能な複数の軸
流ファン３００と、複数の軸流ファン３００のうちのＭ個（本実施の形態においては、５
個）の軸流ファン３００に連続紙Ｓへの送風を行なわせる一部送風モードと、複数の軸流
ファン３００のうちのＭ個よりも多いＮ個（本実施の形態においては、１０個）の軸流フ
ァン３００に連続紙Ｓへの送風を行なわせる全送風モードと、を選択的に実行するコント
ローラー１１０と、を有するため、軸流ファン３００による効率的な送風を実現すること
が可能となる。
【００４３】
すなわち、前述したとおり、プリンター１１において、常時、複数の軸流ファン３００
の全てにより連続紙Ｓに風を送ることとすれば、十分な風を連続紙Ｓに送ることができる
。しかしながら、このようにすると、非効率的な送風となる場合がある。例えば、図７の
下図に示したような場合には、第二ファン列３０４に属する軸流ファン３００（すなわち
、第六軸流ファン３００ｆ、第七軸流ファン３００ｇ、第八軸流ファン３００ｈ、第九軸
流ファン３００ｉ、第十軸流ファン３００ｊ）に対向する位置に連続紙Ｓが存在しないた
め、これらの軸流ファン３００を作動させることにより非効率的な状況が作り出されるこ
ととなる。
【００４４】
これに対し、本実施の形態に係るプリンター１１においては、コントローラー１１０が
一部送風モード及び全送風モードを選択的に実行できるため、状況に応じて、作動させる
軸流ファン３００の数を変えることができる。そのため、軸流ファン３００による効率的
な送風を実現することが可能となる。
【００４５】
また、本実施の形態においては、コントローラー１１０が、プラテン１７上の連続紙Ｓ
の紙幅に基づいて、一部送風モード及び全送風モードのいずれかを選択するため、紙幅が
小さいときには作動させる軸流ファン３００の数を減らすことが可能となり、効率的な送
風を実現できる。
【００４６】
なお、上記においては、連続紙Ｓの紙幅は紙幅センサーにより取得されることとしたが
これに限定されるものではなく、例えば、ユーザーが、プリンター１１に対し、紙幅の情
報を入力するような形態を採ってもよい。
【００４７】
＝＝＝送風ユニット３２の動作に係る他の例について＝＝＝
ここでは、送風ユニット３２の動作に係る他の例（変形例）について、図８及び図９を
用いて説明する。変形例においても、前述した例（第一実施形態）と同様、送風ユニット
３２（プリンター１１）が、動作モードとして、複数の軸流ファン３００のうちのＭ個の
軸流ファン３００に連続紙Ｓへの送風を行なわせる第一送風モードの一例としての一部送
風モードと、複数の軸流ファン３００のうちのＭ個よりも多いＮ個の軸流ファン３００に
連続紙Ｓへの送風を行なわせる第二送風モードの一例としての全送風モードと、を有して
おり、コントローラー１１０は、当該二つのモードを選択的に実行するようになっている
。しかしながら、コントローラー１１０は、連続紙Ｓの紙幅に基づいて、当該二つのモー
ドのいずれかを選択するのではなく、前述した印刷データに基づいて、当該二つのモード
のいずれかを選択する。以下、印刷データに基づいて二つのモードのいずれかを選択する
例として、二つの実施形態（第二実施形態及び第三実施形態）を挙げて説明する。
【００４８】
＜＜＜第二実施形態＞＞＞
当該第二実施形態において、コントローラー１１０は、印刷画像の連続紙Ｓにおける位
置情報に基づいて、一部送風モード及び全送風モードのいずれかを選択する。
【００４９】
上記について、具体的に説明する。コントローラー１１０は、軸流ファン３００の回転
を開始させる前に、公知の方法で印刷データを分析し、印刷画像の連続紙Ｓにおける位置
情報を取得する。そして、コントローラー１１０は、プラテン１７上の連続紙Ｓの前記搬
送方向における端部に印刷画像が位置することを、当該位置情報が示していた場合には、
前記全送風モードを実行し、当該端部に印刷画像が位置しないことを、当該位置情報が示
していた場合には、前記一部送風モードを実行する。
【００５０】
図８は、前記端部に印刷画像が位置すると判定され（左上図参照）、全送風モードが実
行されている様子（右上図参照）と、前記端部に印刷画像が位置しないと判定され（左下
図参照）、一部送風モードが実行されている様子（右下図参照）と、を示した説明図であ
る。当該左上図及び左下図においては、印刷画像を網掛けにより示している。また、右上
図及び右下図においては、作動する（回転する）軸流ファン３００に斜線を施し、作動し
ない（回転しない）軸流ファン３００には斜線を施していない（白抜きとしている）。
【００５１】
図８の左上図に示すように、コントローラー１１０は、プラテン１７上の連続紙Ｓを前
記搬送方向において仮想的に５つに分割したときの５つの分割領域（便宜上、左端部、左
中央部、中央部、右中央部、右端部と呼ぶ）のうちの左端部又は右端部に印刷画像が位置
するかを把握し、右端部及び左端部のうちの少なくともどちらか一方に印刷画像が位置す
る場合には、図８の右上図に示すように、全送風モードを選択し、１０個全ての軸流ファ
ン３００の回転を開始させる。一方、図８の左下図に示すように、コントローラー１１０
は、右端部及び左端部のいずれにも印刷画像が位置しない場合（換言すれば、印刷画像が
中央部にしか存在しない場合）には、一部送風モードを選択し、１０個の軸流ファン３０
０のうちの６個の軸流ファン３００のみ（第二軸流ファン３００ｂ、第三軸流ファン３０
０ｃ、第四軸流ファン３００ｄ、第七軸流ファン３００ｇ、第八軸流ファン３００ｈ、及
び、第九軸流ファン３００ｉのみ）の回転を開始させる。そして、これらの軸流ファン３
００は、連続的に（非間欠的に）回転し、プリンター１１の外部から吸気口３１０を介し
て空気が取り入れられつつ（また、空気中のゴミ等はフィルターで除去されつつ）、プラ
テン１７上の連続紙Ｓに風が送られる。そして、記録処理中や記録処理後には、プラテン
１７上の連続紙Ｓに送風されて、連続紙Ｓに着弾されたインクが適切に乾燥することとな
る。
【００５２】
上述したとおり、本実施の形態においては、コントローラー１１０が、印刷データに基
づいて、一部送風モード及び全送風モードのいずれかを選択するため、印刷画像に応じた
送風が可能となり、効率的な送風を実現できる。さらに、コントローラー１１０が、印刷
画像の連続紙Ｓにおける位置情報に基づいて、一部送風モード及び全送風モードのいずれ
かを選択するため、印刷画像が存在する位置によっては作動させる軸流ファン３００の数
を減らすことが可能となり、効率的な送風を実現できる。
【００５３】
＜＜＜第三実施形態＞＞＞
当該第三実施形態において、コントローラー１１０は、印刷画像のインク量情報（液体
量情報に相当）に基づいて、一部送風モード及び全送風モードのいずれかを選択する。
【００５４】
上記について、具体的に説明する。コントローラー１１０は、軸流ファン３００の回転
を開始させる前に、公知の方法で印刷データを分析し、印刷画像のインク量情報（例えば
、当該印刷画像に使われるインクの総インク量を示す情報）を取得する。そして、コント
ローラー１１０は、インク量を予め定められた閾値Ｑｔｈと比較し、当該インク量が閾値
Ｑｔｈ以下であれば、前記一部送風モードを実行し、当該インク量が閾値Ｑｔｈより大き
ければ、前記全送風モードを実行する。
【００５５】
図９は、インク量Ｑ１が閾値Ｑｔｈより大きいと判定され、全送風モードが実行されて
いる様子と、インク量Ｑ２が閾値Ｑｔｈ以下と判定され、一部送風モードが実行されてい
る様子と、を示した説明図である。当該図においては、作動する（回転する）軸流ファン
３００に斜線を施し、作動しない（回転しない）軸流ファン３００には斜線を施していな
い（白抜きとしている）。
【００５６】
図９の上図に示すように、コントローラー１１０は、インク量Ｑ１が閾値Ｑｔｈより大
きいと判定すると、全送風モードを選択し、１０個全ての軸流ファン３００の回転を開始
させる。一方、図９の下図に示すように、インク量Ｑ２が閾値Ｑｔｈ以下と判定すると、
一部送風モードを選択し、１０個の軸流ファン３００のうちの５個の軸流ファン３００の
みの回転を開始させる。なお、１０個の軸流ファン３００のうちのどの５個を回転させる
か（５個の軸流ファン３００をどのような観点で選択するか）については、軸流ファン３
００により風を連続紙Ｓ上に満遍なく送ることができるように、選択された５個の軸流フ
ァン３００が千鳥状に配置された５個の軸流ファン３００となるように、選ぶこととする
。つまり、本実施の形態においては、１０個の軸流ファン３００のうちの第一軸流ファン
３００ａ、第三軸流ファン３００ｃ、第五軸流ファン３００ｅ、第七軸流ファン３００ｇ
、及び、第九軸流ファン３００ｉのみを回転させる。そして、これらの軸流ファン３００
は、連続的に（非間欠的に）回転し、プリンター１１の外部から吸気口３１０を介して空
気が取り入れられつつ（また、空気中のゴミ等はフィルターで除去されつつ）、プラテン
１７上の連続紙Ｓに風が送られる。そして、記録処理中や記録処理後には、プラテン１７
上の連続紙Ｓに送風されて、連続紙Ｓに着弾されたインクが適切に乾燥することとなる。
【００５７】
上述したとおり、本実施の形態においては、コントローラー１１０が、印刷データに基
づいて、一部送風モード及び全送風モードのいずれかを選択するため、印刷画像に応じた
送風が可能となり、効率的な送風を実現できる。さらに、コントローラー１１０が、印刷
画像のインク量情報に基づいて、一部送風モード及び全送風モードのいずれかを選択する
ため、インク量が少ないときには作動させる軸流ファン３００の数を減らすことが可能と
なり、効率的な送風を実現できる。
【００５８】
＝＝＝その他の実施の形態＝＝＝
上記の実施の形態は、主として記録装置について記載されているが、記録方法等の開示
も含まれている。また、上記の実施形態は、本発明の理解を容易にするためのものであり
、本発明を限定して解釈するためのものではない。本発明は、その趣旨を逸脱することな
く、変更、改良され得ると共に、本発明にはその等価物が含まれることは言うまでもない
。特に、以下に述べる実施形態であっても、本発明に含まれるものである。
【００５９】
上記実施の形態においては、記録装置をインクジェット式プリンターに具体化したが、
インク以外の他の液体を噴射したり吐出したりする液体噴射装置を採用してもよく、微小
量の液滴を吐出させる液体噴射ヘッド等を備える各種の液体噴射装置に流用可能である。
なお、液滴とは、上記液体噴射装置から吐出される液体の状態をいい、粒状、涙状、糸状
に尾を引くものも含むものとする。また、ここでいう液体とは、液体噴射装置が噴射させ
ることができるような材料であればよい。例えば、物質が液相であるときの状態のもので
あればよく、粘性の高い又は低い液状態、ゾル、ゲル水、その他の無機溶剤、有機溶剤、
溶液、液状樹脂、液状金属（金属融液）のような流状態、また物質の一状態としての液体
のみならず、顔料や金属粒子などの固形物からなる機能材料の粒子が溶媒に溶解、分散又
は混合されたものなどを含む。また、液体の代表的な例としては上記実施形態で説明した
ようなインクや液晶等が挙げられる。ここで、インクとは一般的な水性インク及び油性イ
ンク並びにジェルインク、ホットメルトインク等の各種液体組成物を包含するものとする
。液体噴射装置の具体例としては、例えば液晶ディスプレイ、ＥＬ（エレクトロルミネッ
センス）ディスプレイ、面発光ディスプレイ、カラーフィルタの製造などに用いられる電
極材や色材などの材料を分散又は溶解のかたちで含む液体を噴射する液体噴射装置、バイ
オチップ製造に用いられる生体有機物を噴射する液体噴射装置、精密ピペットとして用い
られ試料となる液体を噴射する液体噴射装置、捺染装置やマイクロディスペンサ等であっ
てもよい。さらに、時計やカメラ等の精密機械にピンポイントで潤滑油を噴射する液体噴
射装置、光通信素子等に用いられる微小半球レンズ（光学レンズ）などを形成するために
紫外線硬化樹脂等の透明樹脂液を基板上に噴射する液体噴射装置、基板などをエッチング
するために酸又はアルカリ等のエッチング液を噴射する液体噴射装置を採用してもよい。
そして、これらのうち何れか一種の噴射装置に本発明を適用することができる。
【００６０】
また、上記実施の形態においては、送風機として軸流ファン３００を例に挙げて説明し
たが、これに限定されるものではなく、他のファンでもよい。また、ファンに限定される
ものではなく、例えば、ブロワーであってもよい。
【００６１】
また、上記実施の形態においては、記録媒体として連続紙Ｓを例に挙げて説明したが、
これに限定されるものではなく、例えば、長尺状のプラスチックフィルムや布であっても
よい。
【００６２】
また、上述した第一実施形態、第二実施形態、第三実施形態のうちの二以上を組み合わ
せてもよく、この組み合わせた形態も本発明に含まれるものである。
【００６３】
また、上記実施の形態においては、動作モードとして、一部送風モードと全送風モード
の２つのモードしかないこととしたが、これに限定されるものではない。例えば、３つ以
上のモードがあって、そのうちの二つが、第一送風モードと第二送風モードの要件を満た
すこととしてもよい。
【００６４】
また、このような場合には、第一送風モードと第二送風モードのいずれもが、一部の軸
流ファン３００のみを作動させるモードであるようなケースもあり、このようなケースも
本発明の一例である。例えば、全送風モードと第一の一部送風モード（第一送風モードに
相当）と第二の一部送風モード（第二送風モードに相当）が存在する場合がこれに該当す
る。
【符号の説明】
【００６５】
１１  プリンター、１２  本体ケース、１３  繰り出し部、１４  印刷部、１５  巻き取
り部、１６  基台、１７  プラテン、１７ａ  支持面、１８  搬送ユニット、２０  巻き
軸、２１  ローラー、２２  ローラー、２３  ローラー、２４  ローラー、２５  ローラ
ー、２６  巻き取り軸、２７  搬送モーター、２８  ガイドレール、２９  キャリッジユ
ニット、３０  ヘッドユニット、３１  ヒーターユニット、３２  送風ユニット、３３  
カバー、３６  支持フレーム、３８  持ち手、３９  ヒンジ部、４１  係止部、６０  外
部装置、１１０  コントローラー、１１１  インターフェース部、１１２  ＣＰＵ、１１
３  メモリー、１１４  ユニット制御回路、１５０  検出器群、３００  軸流ファン、３
００ａ  第一軸流ファン、３００ｂ  第二軸流ファン、３００ｃ  第三軸流ファン、３０
０ｄ  第四軸流ファン、３００ｅ  第五軸流ファン、３００ｆ  第六軸流ファン、３００
ｇ  第七軸流ファン、３００ｈ  第八軸流ファン、３００ｉ  第九軸流ファン、３００ｊ
第十軸流ファン、３０２  第一ファン列、３０４  第二ファン列、３１０  吸気口、３
１０ａ  第一吸気口、３１０ｂ  第二吸気口、３１０ｃ  第三吸気口、３１０ｄ  第四吸
気口、３１０ｅ  第五吸気口、３２０  フィルター、Ｓ  連続紙
【図１】
2012061782.tif 000003
【図２】
2012061782.tif 000004
【図３】
2012061782.tif 000005
【図４】
2012061782.tif 000006
【図５】
2012061782.tif 000007
【図６】
2012061782.tif 000008
【図７】
2012061782.tif 000009
【図８】
2012061782.tif 000010
【図９】
2012061782.tif 000011